(57)【特許請求の範囲】
【請求項１】
スライド移動可能であって摺動子片あるいは導電パターンの一方を設けた操作部材と、
前記操作部材のスライド移動をガイドするケースと、
前記操作部材を挟んで一対設けられ、前記操作部材側の一端部が前記操作部材及び前記ケースに位置決めされ、他端部が前記ケースに当接して配置され、前記操作部材のスライド移動方向に圧縮可能に配置された弾性部材とを有するスライド型電気部品であって、
前記弾性部材によって、前記操作部材が前記スライド移動方向と直交する方向に移動させられ、
前記弾性部材を一対のコイルバネで形成し、前記一対のコイルバネをハの字形状に配置するとともに、
前記ケースには前記一対のコイルバネを収納するハの字形状の一対のばね収納部をそれぞれ直線状に形成しており、前記ばね収納部には前記コイルバネの両端部を位置決めする一対の壁部を有し、
前記一対のばね収納部が対向する前記壁部間の距離が、前記操作部材が前記コイルバネのバネ力によって前記スライド移動方向と直交する方向に移動させられる側の方に行くに従って長くなるように前記壁部を傾斜させてあり、
前記一対のコイルバネが対向して配置される一端側の前記壁部と前記コイルバネの一端部との間にスペーサーをそれぞれ介在させ、
前記操作部材には、前記スペーサー間に配置されて両端が前記スペーサーにそれぞれ当接する突起部を形成し、
前記操作部材の前記スライド移動は弧状であることを特徴とするスライド型電気部品。
【請求項２】
請求項１において、前記一対のばね収納部の対向する前記壁部間には、両方のばね収納部を連結するように前記ばね収納部より幅狭の連結溝部が形成されており、前記連結溝部に連続して前記ばね収納部の対向する前記一対の壁部間に前記連結溝部と同じ大きさで連続して摺動溝部が形成されるとともに前記摺動溝部と前記連結溝部とは円弧状に形成されており、前記円弧状の前記連結溝部と前記摺動溝部に前記操作部材の突起部が摺動案内されると共に、前記突起部の両端部が外方に突出する曲面状に形成されていることを特徴とするスライド型電気部品。
【請求項３】
請求項２において、前記ケースには、前記連結溝部と前記摺動溝部の円弧状と同一中心点を持つ円弧状の長溝からなるガイド溝部が形成されており、前記操作部材には、前記ガイド溝部に摺動案内される円弧状のガイド突部が形成されていることを特徴とするスライド型電気部品。
【発明の詳細な説明】
【０００１】
【発明の属する技術分野】
本発明は、スライド型電気部品に係り、特にビデオカメラなどの電子機器のズームコントロールなどに使用される中立位置にセンター復帰するタイプのスライド型電気部品の構造に関する。
【０００２】
【従来の技術】
従来のスライド型電気部品の構造を図１２及び図１３に示す。図１２は要部縦断面図、図１３は要部横断面図である。
【０００３】
従来のスライド型電気部品の構造としては、金属板などを折り曲げることにより箱形に形成されたケース２１と、このケース２１の内部に移動可能に収納された合成樹脂などの絶縁材からなる操作部材を構成するスライド体２２と、このスライド体２２の両側に設けられてスライド体２２を中立位置に付勢する一対の復帰ばね２３、２３と、前記スライド体２２に保持されスライド体２２と共に移動される導電材からなる接触片２４と、この接触片２４と接離される固定端子２５が固着され、前記ケース２１の下面に取り付けられた絶縁基板２６とから構成されている。
【０００４】
ケース２１の上面板には、スライド体２２の操作つまみ２２ａが突出されてスライド移動される方形孔２１ａが形成されており、この方形孔２１ａの移動方向の相対向する両辺部には、ケース２１の内方に一体に折り曲げられたばね係止片２１ｂ、２１ｂが形成されている。このばね係止片２１ｂ、２１ｂと前記ケース２１の両内側面とのそれぞれの間に前記一対の復帰ばね２３、２３がそれぞれ係止されている。
【０００５】
スライド体２２の上面中央には、方形孔２１ａから外部に突出される操作つまみ２２ａが突設されており、この操作つまみ２２ａを挟んで上面両側には、両側面部よりスライド移動方向に前記復帰ばね２３の逃げ部としてのやや大きめのばね逃げ溝２２ｂ、２２ｂが形成され、更にこのばね逃げ溝２２ｂ、２２ｂに連続して前記スライド体２２がスライド移動した際の前記ばね係止片２１ｂ、２１ｂの逃げ部としてのやや小さめの係止片逃げ溝２２ｃ、２２ｃが形成されている。
【０００６】
そして、ばね逃げ溝２２ｂと係止片逃げ溝２２ｃとの連接部に段部２２ｄが形成されると共に、スライド体２２の両段部２２ｄ、２２ｄに一対の復帰ばね２３の一端がそれぞれ当接することにより、スライド体２２をケース２１の中央位置に付勢するようになっている。また、スライド体２２がスライド移動される際には、段部２２ｄにより復帰ばね２３を押圧して圧縮しながら、前記スライド体２２はスライド方向に移動される。この時、前記ばね係止片２１ｂが前記スライド体２２の係止片逃げ溝２２ｃに挿通されることにより、前記スライド体２２のスライド移動が妨げられることなく確実に移動できるものとなっている。
【０００７】
スライド型電気部品の動作としては、前記復帰ばね２３の付勢力に抗して、前記操作つまみ２２ａを図１２の左右の何れかの方向に押圧すると、接触片２４もともに移動して接触片２４が固定端子２５と接離することで回路が切り換えられるものとなる。また、この状態から操作つまみ２２ａへの押圧を解除すれば、前記復帰ばね２３の付勢力で操作つまみ２２ａは元の中央位置の状態に復帰するものとなっている。
【０００８】
【発明が解決しようとする課題】
しかしながら、上述した従来のスライド型電気部品の構造においては、一対の復帰ばね２３、２３でスライド体２２の段部２２ｄを押圧し、ばね係止片２１ｂに当接する中立位置に復帰させ、中立位置で保持させるものであるが、段部２２ｄ間の長さとばね係止片２１ｂ間の長さが異なる場合がある。段部２２ｄ間の長さの方がばね係止片２１ｂ間の長さより長く、また、復帰ばね自体のバラツキによるバネ力のバラツキや、ばね係止片２１ｂの折り曲げ精度の誤差による収納された復帰ばね長の不均一によるバネ力の大きさバラツキやバネ力の方向のバラツキが生じていると、これにより、スライド体２２（操作つまみ２２ａ）の中立位置への復帰精度が悪化するものであった。また、段部２２ｄ間の長さがばね係止片２１ｂ間の長さより短いと、これにより中立位置におけるスライド体２２のガタツキが生じていた。
【０００９】
したがって、本発明では上述した問題点を解決し、中立位置への復帰精度が高められたセルフリターンタイプのスライド型電気部品を提供することを目的とする。
【００１０】
【課題を解決するための手段】
上記課題を解決するために本発明では第１の手段として、スライド移動可能であって摺動子片あるいは導電パターンの一方を設けた操作部材と、前記操作部材のスライド移動をガイドするケースと、前記操作部材を挟んで一対設けられ、前記操作部材側の一端部が前記操作部材及び前記ケースに位置決めされ、他端部が前記ケースに当接して配置され、前記操作部材のスライド移動方向に圧縮可能に配置された弾性部材とを有するスライド型電気部品であって、前記弾性部材によって、前記操作部材が前記スライド移動方向と直交する方向に移動させられ、前記弾性部材を一対のコイルバネで形成し、前記一対のコイルバネをハの字形状に配置するとともに、前記ケースには前記一対のコイルバネを収納するハの字形状の一対のばね収納部をそれぞれ直線状に形成しており、前記ばね収納部には前記コイルバネの両端部を位置決めする一対の壁部を有し、前記一対のばね収納部が対向する前記壁部間の距離が、前記操作部材が前記コイルバネのバネ力によって前記スライド移動方向と直交する方向に移動させられる側の方に行くに従って長くなるように前記壁部を傾斜させてあり、前記一対のコイルバネが対向して配置される一端側の前記壁部と前記コイルバネの一端部との間にスペーサーをそれぞれ介在させ、前記操作部材には、前記スペーサー間に配置されて両端が前記スペーサーにそれぞれ当接する突起部を形成し、前記操作部材の前記スライド移動は弧状であることを特徴とする。
【００１１】
また、第２の手段として、第１の手段において、前記一対のばね収納部の対向する前記壁部間には、両方のばね収納部を連結するように前記ばね収納部より幅狭の連結溝部が形成されており、前記連結溝部に連続して前記ばね収納部の対向する前記一対の壁部間に前記連結溝部と同じ大きさで連続して摺動溝部が形成されるとともに前記摺動溝部と前記連結溝部とは円弧状に形成されており、前記円弧状の前記連結溝部と前記摺動溝部に前記操作部材の突起部が摺動案内されると共に、前記突起部の両端部が外方に突出する曲面状に形成されていることを特徴とする。
【００１２】
また、第３の手段として、第２の手段において、前記ケースには、前記連結溝部と前記摺動溝部の円弧状と同一中心点を持つ円弧状の長溝からなるガイド溝部が形成されており、前記操作部材には、前記ガイド溝部に摺動案内される円弧状のガイド突部が形成されていることを特徴とする。
【００１７】
【発明の実施の形態】
以下、本発明の実施例を図１乃至図７に示す。図１はスライド型電気部品の基台と摺動子片を取り除いた操作部材と復帰ばねの係合状態を示す平面図、図２はスライド型電気部品の縦断而図、図３は操作部材の動作状態を示す説明図、図４はケースの平面図、図５は同じく縦断面図、図６は操作部材の底面図、図７は同じく縦断面図である。
【００１８】
尚、図１、図３においては、操作部材と復帰ばねとの係合、及び動作状態が良く分かるように、便宜的に操作部材と復帰ばねとを重ねて透視した状態で示している。
【００１９】
図において、ケース１は、合成樹脂などの絶縁材で上面及び正面が開口された有底の箱状に形成されており、中央には横長状の収納部１ａが形成され、この収納部１ａの上側には同じく横長状の開口部１ｂが形成されている。また、前記ケース１の上面は、なだらかな円弧状に形成されており、前記開口部１ｂの上面もこれに沿って円弧状に形成されている。
【００２０】
前記収納部１ａの内側面の略中央両側には、概略ケース１の上面の円弧と同じ中心を持つ円弧に沿ってやや傾斜した状態（ハの字形状配置）の長溝からなる一対のばね収納部１ｃ、１ｃが形成されており、このばね収納部１ｃの長手方向の対向する内側面が後述する復帰ばね（弾性部材）２の両端部を位置決めする壁部１ｄ、１ｄとなっている。また、前記一対のばね収納部１ｃ、１ｃの間には、両方を連結するように前記ばね収納部１ｃよりやや幅狭で深底の連結溝部１ｅが形成されており、また、この連結溝部１ｅに連続して前記ばね収納部１ｃの対向する一対の前記壁部１ｄ、１ｄの間に、後述する駆動体部４ａの突起部４ｄを摺動案内する摺動溝部１ｆ、１ｆが形成されている。
【００２１】
この場合、前記連結溝部１ｅと摺動溝部１ｆ、１ｆとは同じ大きさで連続されて形成されており、かつ、前記ばね収納部１ｃが直線状に形成されているのに対して、前記開口部１ｂの上面の円弧状と同一中心点を持つ円弧状に形成されている。
【００２２】
また、収納部１ａの内底面寄りの側面には、前記開口部１ｂの上面の円弧状と同一中心点を持つ円弧状の長溝からなるガイド溝部１ｇが形成されている。このガイド溝部１ｇ及び摺動溝部１ｆに後述する操作部材４の駆動体部４ａに設けられたガイド突部４ｅ及び突起部４ｄが案内され摺動することにより、操作部材４が円弧に沿ってスライド移動されるものとなっている。但し、両者の間には所定のクリアランスが形成されている。
【００２３】
前記ケース１の一対のばね収納部１ｃ、１ｃには、コイル状に巻回された金属線材からなる一対の復帰ばね２、２が収納保持されている。この場合、ばね収納部１ｃの対向する壁部１ｄ、１ｄに復帰ばね２の両端部が圧縮して当接しており、これにより復帰ばね２の両端部が位置決めされることで、復帰ばね２がばね収納部１ｃ内に保持されるものとなっている。また、一対の復帰ばね２、２が対向して配置されている一端側の壁部１ｄ、１ｄには、ゴムなどの弾性を有する材料からなるスペーサー３がそれぞれ配設されて、したがって、一対の復帰ばね２、２の一端側はスペーサー３を介して壁部１ｄに圧接されている。このスペーサー３、３間には、後述する操作部材４の駆動体部４ａに設けられた突起部４ｄが挟持されており、一対の復帰ばね２、２のバネ力が伝えられて前記操作部材４が中立位置に保持されるものとなっている。
【００２４】
操作部材４は、合成樹脂などの絶縁材で形成されており、平面略方形状をした駆動体部４ａと、この駆動体部４ａの上側に設けられた円弧状の鍔部４ｂを有する操作ノブ４ｃと、復帰ばね２の一端部を受ける突起部４ｄとから形成されている。突起部４ｄは、前記駆動体部４ａの一方の側面の略中央に、図１の横方向に細長円弧状をして突出して設けられており、この突起部４ｄがケース１の連結溝部１ｅに係合されている。また、突起部４ｄの両端部は、外方に突出する曲面状に形成されており、この曲面状両端部がスペーサー３と当接することでスペーサー３を弾性変形させている。また、突起部４ｄの両端部間の距離は、その寸法がバラついた場合にも、下方に位置する壁部１ｄ間の距離より長く、上方に位置する壁部１ｄ間の距離より小さく形成されている。
【００２５】
このように、ばね収納部１ｃの連結溝部１ｅで連結された側の壁部１ｄには、復帰ばね２の他端側と当接する弾性材からなるスペーサー３が配設されており、連結溝部１ｅに係合される駆動体部４ａに設けられた突起部４ｄの両端部の曲面が、スペーサー３の他端と当接してスペーサー３を弾性変形させるように形成してあるので、操作部材４が中央位置に復帰する際に、駆動体部４ａの突起部４ｄと、復帰ばね２の端部との当接時の衝突音を抑えることが可能となっている。
【００２６】
また、突起部４ｄの下側には、平面の両端部にわたって細長円弧状をしたガイド突部４ｅが、同じく突起部４ｄの突出方向に突出して設けられており、このガイド突部４ｅが、ケース１の収納部１ａに形成されたガイド溝部１ｇに摺動可能に係合されるものとなっている。
【００２７】
突起部４ｄがケース１の収納部１ａに形成された、連結溝部１ｅと摺動溝部１ｆに係合されると共に、ガイド突部４ｅがガイド溝部１ｇに係合されて摺動案内されることにより、操作ノブ４ｃが円弧状にスライド操作されるものとなっている。この場合、駆動体部４ａの突起部４ｄが設けられた平面が収納部１ａの内底面と摺動する摺動面となっており、ガイド突部４ｅ及びガイド溝部１ｇは必ずしも必要ではなく、必要に応じて形成すればよい。
【００２８】
また、一対の復帰ばね２、２はハ字形状に配設されているため、中立位置付近において一対の復帰ばね２、２のバネ力は操作部材４の細長円弧状をした突起部４ｄの両端の稍下方から付与されることになるので、操作部材４は図１の上方に押し上げられて突起部４ｄの上面が連結溝部１ｅの上側の内面に当接するまで移動される。この際、壁部１ｄ間の距離は、上方に行くに従って長くなっているので、該操作部材４が上方に位置するのに伴い復帰ばね２、２の操作部材４側の端部は、壁部１ｄに近づくこととなる。ところで、中立位置のずれの最大の値は、所定以上のバネ力の差があった場合、突起部４ｄの長さと、壁部１ｄ間の長さの差となる。従って、復帰ばね２、２の操作部材４側の端部は、壁部１ｄに近づくこととなると、これによって左右の復帰ばね２、２のバネ力の差がある場合であっても、操作部材４の中立位置における位置ずれは少なくなる。
【００２９】
また、操作部材４が上方に位置した状態で、突起部４ｄの方が連結溝部１ｅより多少長くとも復帰ばね２、２（弾性部材）、両方がほぼ均等に弾性変形し、両方のスペーサー３、３が突起部４ｄと壁部１ｄに接した状態となり、操作部材４の中立位置は左右の復帰ばね２、２のバネ力の差があったとしてもずれない。
【００３０】
なお、十分に操作部材４が上方に移動できるようにしておけば、両方のスペーサー３、３が弾性変形することなく突起部４ｄと段部１ｄに接した状態となるまで、操作部材４は上方に移動し、操作部材４の中立位置は左右の復帰ばね２、２のバネ力の差、弾性部材の変形量の差があったとしてもずれない。
【００３１】
このように、摺動溝部１ｆを円弧状に形成し、駆動体部４ａの突起部４ｄを摺動溝部１ｆに摺動させることにより、操作ノブ４ｃを円弧状にスライド操作可能に保持するようにしてあるので、操作ノブ４ｃのスライド操作範囲を大きくできると共に、駆動体部４ａの摺動方向の寸法を小さくすることができるので、操作ノブ４ｃの操作性を確保したまま小型化が図れるものとなっている。
【００３２】
また、駆動体部４ａの対向する平面の他方には、導電性の金属材からなる摺動子片５が固着されている。この摺動子片５には、複数の片持ち状の接触片５ａが設けられており、この接触片５ａが後述する基台６に設けられた導電パターン（図示せず）と接離するものとなっている。
【００３３】
基台６は、フェノール樹脂などの積層板からなり、表面には鋼箔やカーボンなどの導電材からなる導電パターン（図示せず）が形成され、可変抵抗器の集電体及び抵抗体が形成されている。また、裏面には前記導電パターンとスルーホールなどで接続された導電性の金属板からなる外部端子７が固着されている。
【００３４】
前記基台６は、裏面側を合成樹脂などの絶縁材からなる平板状のカバー８に一体的に固着されており、前記導電パターンが前記駆動体部４ａに固着された前記摺動子片５の接触片５ａと接離するように対向されて前記ケース１に取り付けられている。尚、前記摺勤子片５と前記導電パターンを形成する場合には、前記駆動体部４ａに前記導電パターンを形成し、前記基台６に前記摺動子片５を形成するようにしてもよい。
【００３５】
上記構成のスライド型電気部品を組み立てるには、前記ケース１の一対の前記ばね収納部１ｃ、１ｃの対向する一端側の璧部１ｄ、１ｄに、前記スペーサー３を挿入し、このスペーサー３の他端側に一端側を当接した状態で前記復帰ばね２を挿入する。
【００３６】
次に、前記ケース１の収納部１ａに設けられた前記連結溝部１ｅと前記ガイド溝部１ｆに、前記操作部材４の駆動体部４ａの摺動面に設けられた前記突起部４ｄと前記ガイド突部４ｅを挿通することにより重ね合わせ、これとは反対の一側面に固着された前記摺動子片５上に、導電パターンが設けられた前記基台６が一体的に固着された前記カバー８を被せて、カシメ又は接着などの方法で取り付けることにより組立が終了する。
【００３７】
このように、前記操作部材４の前記駆動体部４ａには、前記突起部４ｄが形成される摺動面と、前記摺動子片５が固着される一側面とを表裏に対向させて形成するようにしたので、前記スペーサー３及び前記復帰ばね２を前記ケース１の前記ばね収納部１ｃに取り付けた後に、前記操作部材４の前記突起部４ｄが設けられた摺動面を下にして上から重ねて取り付けて、その上から導電パターンが設けられた前記基台６が一体的に固着された前記カバー８を取り付ければ組立が終了するため、組み立てが簡易となり作業性が向上されるものとなる。また、導電パターンを前記駆動体部４ａの一側面である平坦面状に形成することができるので、導電パターンの形成が容易に行えるものとなっている。
【００３８】
次に、図１及び図３で上記構成のスライド型電気部品の動作について説明する。
【００３９】
まず、図１に示す初期の状態では、操作部材４（操作ノブ４ｃ）は中立位置にあり、この状態では駆動体部４ａの突起部４ｄが連結溝部１ｅに挿入されていて、突起部４ｄの両端部が一対のスペーサー３、３に当接され、一対のスペーサー３、３を介して一対の復帰ばね２、２の付勢力によって、操作ノブ４ｃは中立位置に保持されている。
【００４０】
この時、一対の復帰ばね２、２の両付勢力は均衡に保たれた状態となっており、また、突起部４ｄの両端部間の距離は、その寸法が、下方に位置する壁部１ｄ間の距離より長いので、中立位置での前記操作ノブ４ｃのがたつきが抑えられるものになっている。
【００４１】
また、復帰ばね２、２によって操作部材４は上方に押し上げられ、両方のスペーサー３、３が突起部４ｄと壁部１ｄに接した状態となるので、所定の中立位置に位置することとなる。
【００４２】
この状態から、例えば図３に示すように、操作ノブ４ｃが図示左方向へ押圧されると、操作ノブ４ｃが左側にスライド移動されるものとなり、これに伴って駆動体部４ａも、突起部４ｄが摺動溝部１ｆに、ガイド突部４ｅがガイド溝部１ｇにそれぞれ摺動案内されて左方に円弧状にスライド移動される。このスライド移動に伴って、突起部４ｄの左端部はスペーサー３を介して左側に配設された復帰ばね２の付勢力に抗して復帰ばね２を圧縮させていく。このスライド移動とともに摺動子片５の接触片５ａが基台６の表面上を摺動して導電パターンと接触することで接点がオン状態となり、信号が外部端子７を介して外部の回路に送信されるものとなっている。一方、右側の復帰ばね２は図３に示すように、右側のばね収納部１ｃ内に収納されており、したがって、右側の復帰ばね２の操作部材４側の一端部（実際に接するのは右側のスペーサー３）は操作部材４の突起部４ｄの右端部から離れている。
【００４３】
この時、駆動体部４ａは、円弧状に形成された摺動溝部１ｆに沿って突起部４ｄが円弧状にスライド移動されるものとなるが、一方、円弧状の摺勤溝部１ｆに対応するばね収納部１ｃ、１ｃは直線状に形成されている。このように、各ばね収納部１ｃに復帰ばね２が直線となるように配置されていて、概略復帰ばね２は突起部４ｄの円弧状のスライド移動方向に沿って形成されていることから、突起部４ｄが摺動溝部１ｆを円弧状に摺動する際には、復帰ばね２は直線状に撓むようになっている。このように、突起部４ｄが摺動溝部１ｆを円弧状に摺動する際には、復帰ばね２が直線状に撓むようにしたことから、復帰ばね２を直線状のまま使用でき、また、概略復帰ばね２の端面に垂直に荷重が加わることになるのでよじれることがなくなると共に、突起部４ｄに異常な荷重が加わらないため、操作部材４の動作が安定し確実な復帰が得られるものとなっている。なお、中立位置から、このようにスライド方向に押圧する動作を行う際、操作ノブ４ｃは、若干、下方に移動するが、該移動は抵抗体の幅方向への移動となり、抵抗体末端から接触片５ａまでの距離は変わらないので出力は殆ど変わらない。
【００４４】
図３の状態から、操作ノブ４ｃへの押圧が解除されると、復帰ばね２、２によって上方に付勢されつつ駆動体部４ａが圧縮されていた左側の復帰ばね２の付勢力により図１に示す中立位置へと復帰される。この時、突起部４ｄの右端部は、右側に配置された復帰ばね２に付勢されている右側のスペーサー３に当接するものとなり、この時のスペーサー３の弾性変形によって衝突音の発生を抑えることができるものとなっている。
【００４５】
また、中立位置付近において一対の復帰ばね２、２の付勢力は操作部材４の細長円弧状をした突起部４ｄの両端の稍下方から付与されて、操作部材４は図１の上方（スライド移動方向と直交する方向）に押し上げられ、突起部４ｄの上面が連結溝部１ｅの上側の内面に当接するまで移動される。また、突起部４ｄが上方に押し上げられると、壁部１ｄが傾斜して配置されているので、突起部４ｄが壁部１ｄより突出していても次第に引っ込むこととなり、復帰ばね２の操作部材４側の一端部は、ケース１の壁部１ｄにそれぞれ当接して（実際はスペーサー３を介して）操作部材４を確実に中立位置に位置決めする。これにより、操作部材４はスライド移動方向にガタがなく、よって復帰精度をたかめられる。尚、前記操作ノブ４ｃが図示右方向へ押圧された場合においても、上記と同様な動作となるため、ここではその説明を省略する。
【００４７】
尚、上記第１の実施例においては、導電パターンは抵抗体及び集電体で説明しスライド型可変抵抗器を構成したが、導電パターンをオン状態とオフ状態となるスイッチパターンで形成しスライド型スイッチとしてもよい。また、摺動子片５と導電パターンの配置を逆としてもよいし、それらを駆動体部４ａの換作ノブ４ｃと対向する側面に設けてもよい。
【００４８】
また、復帰ばね２をコイルバネで形成し、復帰ばね２をハの字形状に配置するとともにケースに当接するケース部分もハの字形状としたため、復帰ばね２がよじれることなく、スムーズに操作部材４の移動方向と直交する方向への移動が可能である。
【００４９】
また、復帰ばね２と操作部材４の間にスペーサー３を介在させたため、復帰ばね２の端面形状に影響されずに操作部材４はスムーズに操作部材４のスライド移動方向と直交する方向への移動が可能であり、復帰ばね２をコイルバネで形成した場合にはより効果的である。
【００５０】
また、ケース１に操作部材４を弧上に移動するように収納したため、復帰ばね２を長くしても大型にならないので、小型で長ストローク対応が可能となる。また、垂直面で復帰ばね２は操作部材４に接するので、スムーズに復帰が可能となる。
【００５１】
また、上記した第１の実施例によれば、操作部材４の駆動体部４ａに、摺動方向と直交する方向に突出されて一対の復帰ばね２、２の他端側と係合する突起部４ｄが形成されると共に、ケース１の収納部１ａには、駆動体部４ｄの摺動画より下方に摺動方向に沿って並設された一対のばね収納部１ｃ、１ｃを形成し、この一対のばね収納部１ｃ、１ｃの間に両方を連結する連結溝部１ｅを形成して、この連結溝部１ｅに連続して一対のばね収納部１ｃ、１ｃに駆動体部４ａの突起部４ｄを摺動案内する前記摺動溝部１ｆを形成するようにしたので、前記操作部材４の駆動体部４ａと重なる位置に並設して、復帰ばね２を配置する前記ばね収納部１ｃを形成することができるため、駆動体部４ａの摺動方向に連ねて前記復帰ばね２を配置する構造にくらべて駆動体部４ａの摺動方向の寸法を短くすることができるので、電気部品全体の大きさを小さくすることができるものとなっている。
【００５３】
次に、本発明の参考例を図８〜図１１を参照して説明する。図８〜図１１は参考例であるスライド型電気部品を示し、図８は要部縦断面図、図９は図８の要部拡大説明図、図１０は要部横断面図、図１１は図１０の要部拡大説明図である。なお、この参考例は先に説明した図１２及び図１３の従来例と以下に説明する個所以外は同様であるので、参考例の特徴部分以外の詳細な説明は省略する。
【００５４】
この参考例では、操作部材であるスライド体２２のばね逃げ溝２２ｂと係止片逃げ溝２２ｃとの連接部に段部が、上方にいく従って外側方に突出したテーパー部３０とされている。このテーパー部３０の上部は、スライド体２２の中立位置においてばね係止片２１ｂよりそれぞれの復帰ばね２３側に突出している。したがって、一対の復帰ばね２３のスライド体２２側の一端部がばね係止片２１ｂより突出したテーパー部３０にそれぞれ当接することにより、スライド体２２をケース２１の中央位置に付勢する。この際、スライド体２２はスライド移動方向と直交する方向に元々隙間があるので、両側の復帰ばね２３、２３により前記直交する方向（図８の上方向）にスライド体２２を押し上げて、両復帰ばね２３、２３のスライド体２２側の一端部は各ばね係止片２１ｂ、２１ｂにそれぞれ当接することになる。これにより、スライド体２２は図８に示す中立位置に位置決めされる。
【００５５】
このようにスライド体２２の両側にテーパー部３０、３０を設けて、テーパー部３０、３０の長い部分はケース２１のばね係止片２１ｂ、２１ｂ間の距離より長く、それらの短い部分はケース２１のばね係止片２１ｂ、２１ｂ間より短くしてある。
【００５６】
また、このテーパー部３０は円弧面で形成してもよく、これにより、操作部材（２２）はスムーズに操作部材（２２）のスライド移動方向と直交する方向への移動が可能である。
【００５７】
このような参考例にあっても前記第１の実施例と同様の作用効果を奏するものである。
【００５９】
【発明の効果】
以上説明したように、本発明によれば、コイルバネの端部が当接するケース側の当接部間の距離と、弾性部材の操作部材側の端部が当接する操作部材の当接部間の距離が異なっていても、操作部材は弾性部材によって操作部材のスライド移動方向と直交する方向にケースに当接するまで移動して、両者の長さの差が少なくなり、よって復帰精度を高めることができる。
【００６０】
また、本発明によれば、弾性部材をコイルバネで形成し、コイルバネをハの字形状に配置するとともにコイルバネを収納するケース部分もハの字形状としたため、コイルバネがよじれることなく、スムーズに操作部材の移動方向と直交する方向への移動が可能である。
【００６２】
また、本発明によれば、弾性部材と操作部材の間にスペーサーを介在させたため、弾性部材の端面形状に影響されずに操作部材はスムーズに操作部材の移動方向と直交する方向への移動が可能であり、弾性部材をコイルバネで形成した場合にはより効果的である。
【００６３】
また、本発明によれば、操作部材を弧状にスライド移動するように設けたため、小型で長ストローク対応が可能となる。また、垂直面でコイルバネは操作部材に接するので、スムーズに復帰が可能となる。
【図面の簡単な説明】
【図１】本発明の第１の実施例であるスライド型電気部品の基台と摺動子片を取り除いた操作部材と復帰ばねの係合状態を示す平面図である。
【図２】本発明のスライド型電気部品の縦断面図である。
【図３】本発明のスライド型電気部品の操作部材の動作状態を示す説明図である。
【図４】本発明のスライド型電気部品のケースを示す平面図である。
【図５】本発明のスライド型電気部品のケースを示す縦断面図である。
【図６】本発明のスライド型電気部品の操作部材を示す底面図である。
【図７】本発明のスライド型電気部品の操作部材を示す縦断面図である。
【図８】  本発明の参考例であるスライド型電気部品の要部縦断面図である。
【図９】図８の要部拡大説明図である。
【図１０】  本発明の参考例であるスライド型電気部品の要部横断面図である。
【図１１】図１０の要部拡大説明図である。
【図１２】従来のスライド型電気部品を示す要部縦断面図である。
【図１３】従来のスライド型電気部品を示す要部横断面図である。
【符号の説明】
１、２１  ケース
１ａ  収納部
１ｂ  開口部
１ｃ  ぱね収納部
１ｄ  壁部
１ｅ  連結溝部
１ｆ  摺動溝部
１ｇ  ガイド溝部
２、２３  復帰ばね
３  スペーサー
４  操作部材
４ａ  駆動体部
４ｃ  操作ノブ
４ｄ  突起部
４ｅ  ガイド突部
５  摺動子片
６  基台
３０  テーパー部
【図１】
0004071545.tif 000002
【図２】
0004071545.tif 000003
【図３】
0004071545.tif 000004
【図４】
0004071545.tif 000005
【図５】
0004071545.tif 000006
【図６】
0004071545.tif 000007
【図７】
0004071545.tif 000008
【図８】
0004071545.tif 000009
【図９】
0004071545.tif 000010
【図１０】
0004071545.tif 000011
【図１１】
0004071545.tif 000012
【図１２】
0004071545.tif 000013
【図１３】
0004071545.tif 000014